(57)【特許請求の範囲】
【請求項１】
ロールペーパーが第１方向に沿って片側から挿入されるペーパー支持軸と、
ロールペーパーが挿入される側の前記ペーパー支持軸の先端部から離隔した位置において前記ペーパー支持軸を支持する支持体と、
ロールペーパーが前記ペーパー支持軸から取り外せない程度に前記第１方向に関して前記先端部に近接して対向した対向位置と、ロールペーパーが前記ペーパー支持軸から取り外せる程度に前記先端部から離隔した位置であって前記第１方向に関して前記先端部に対向していない非対向位置との間で変位可能に前記支持体に支持された保護カバーと、
前記支持体に対する前記保護カバーの相対移動を規制する規制状態と当該規制を解除する解除状態とを選択的に取る規制手段とを備えており、
前記保護カバーが、前記対向位置において前記第１方向に関して前記ペーパー支持軸を互いの間に挟む第１壁部及び第２壁部と、前記対向位置において前記第１方向に直交する第２方向に関して前記ペーパー支持軸の一方側に配置される第３壁部とを有しており、
前記保護カバーが、前記第１方向に沿った回転軸に関して回動可能に前記支持体に支持されており、
前記回転軸が、前記保護カバーが前記対向位置にあるとき、前記第２方向に関して前記ペーパー支持軸に対して前記第３壁部とは反対側の位置に配置されており、
前記第２方向に関して前記第３壁部と前記ペーパー支持軸との間に配置された回転軸に関して回動可能に前記保護カバーに支持され、前記保護カバーが前記対向位置にあるとき、前記ペーパー支持軸に挿入されたロールペーパーに先端部が当接するペーパーカッターをさらに備えていることを特徴とするロールペーパー保持具。
【請求項２】
ロールペーパーが第１方向に沿って片側から挿入されるペーパー支持軸と、
ロールペーパーが挿入される側の前記ペーパー支持軸の先端部から離隔した位置において前記ペーパー支持軸を支持する支持体と、
ロールペーパーが前記ペーパー支持軸から取り外せない程度に前記第１方向に関して前記先端部に近接して対向した対向位置と、ロールペーパーが前記ペーパー支持軸から取り外せる程度に前記先端部から離隔した位置であって前記第１方向に関して前記先端部に対向していない非対向位置との間で変位可能に前記支持体に支持された保護カバーと、
前記保護カバー及び支持体のうち一方の部材に当接して、他方の部材に対する前記一方の部材の相対移動を規制する規制位置と、当該規制位置から離隔して規制を解除する解除位置との間で移動可能に前記他方の部材に支持された規制部材と、
前記規制部材を前記規制位置に向かって付勢する付勢手段とを備えており、
前記支持体が、前記ペーパー支持軸の一方側に配置された、建物の壁などに固定される壁部を有しており、
前記規制部材が前記支持体の前記壁部付近に配置されており、
前記規制部材が、前記解除位置から前記規制位置に向かう方向に対して傾斜した表面である傾斜面を有しており、
前記保護カバーが、前記非対向位置から前記対向位置へと移動する際に、前記傾斜面の一部に当接しつつ前記付勢手段の付勢力に抗して前記規制部材を前記解除位置に向かって移動させると共に、前記対向位置に到達する以前に前記傾斜面から離隔し、
前記保護カバーが前記対向位置にあり且つ規制解除用の部材が前記規制部材から外れているとき、当該規制解除用の部材を前記保護カバーの外部から前記保護カバー内の隙間を通じて前記規制部材まで到達させ、前記規制部材に接続させると共に、接続させた前記規制解除用の部材を介して前記規制部材を前記規制位置から前記解除位置へと移動させることができるように構成されていることを特徴とするロールペーパー保持具。
【請求項３】
前記保護カバーが前記対向位置にあるとき、前記ペーパー支持軸に挿入されたロールペーパーに先端部が当接するペーパーカッターをさらに備えており、
前記ペーパーカッターが、前記支持体の前記壁部との間に前記規制部材を挟むように配置されていることを特徴とする請求項２に記載のロールペーパー保持具。
【請求項４】
前記保護カバーが、前記対向位置において前記第１方向に関して前記ペーパー支持軸を互いの間に挟む第１壁部及び第２壁部と、前記対向位置において、前記ペーパー支持軸から前記支持体の前記壁部に向かう方向及び前記第１方向の両方に直交する第２方向に関して前記ペーパー支持軸の一方側に配置される第３壁部とを有しており、
前記ペーパーカッターを回動可能に支持する前記第１方向に沿ったカッター支持部が、前記第２方向に関して前記第３壁部と前記ペーパー支持軸との間に配置されており、
前記カッター支持部が、前記支持体の壁部との間に前記規制部材を挟むように配置されていることを特徴とする請求項３に記載のロールペーパー保持具。
【請求項５】
前記ペーパーカッターが、前記第３壁部に最も近接した際に、当該ペーパーカッターの前記先端部から当該ペーパーカッターの前記回転軸までの間のいずれかの部分において前記第３壁部に当接することを特徴とする請求項１に記載のロールペーパー保持具。
【請求項６】
前記ペーパーカッターが、前記第３壁部に最も近接した際に、当該ペーパーカッターの前記先端部から、当該ペーパーカッターにおける前記カッター支持部に支持された部分までの間のいずれかの部分において前記第３壁部に当接することを特徴とする請求項４に記載のロールペーパー保持具。
【請求項７】
一対の前記ペーパー支持軸が、前記第１方向に関して並んでおり、前記一対のペーパー支持軸の前記先端部が前記第１方向に関して互いに反対側に配置されており、前記第１壁部が、一方の前記ペーパー支持軸の前記先端部に対向する位置に配置されており、前記第２壁部が、他方の前記ペーパー支持軸の前記先端部に対向する位置に配置されていることを特徴とする請求項１及び４〜６のいずれか１項に記載のロールペーパー保持具。
【請求項８】
前記ペーパー支持軸の前記一方側と反対側に、螺子が内表面に切られた螺子穴が形成されており、
前記螺子穴と着脱可能に嵌合する、前記第１方向に突出した螺子軸が前記支持体に設けられていることを特徴とする請求項１〜７のいずれか１項に記載のロールペーパー保持具。
【発明の詳細な説明】
【技術分野】
【０００１】
本発明は、ロールペーパー保持具、特に、ロールペーパーが片側から挿入される軸を有するロールペーパー保持具に関する。
【背景技術】
【０００２】
従来のロールペーパー保持具では、ロールペーパーを容易に取り出せないようにするために、２個のロールペーパーを収容する構成を用いることがある。例えば、特許文献１のように、２個のロールペーパーを隣り合わせて収容装置に収容すると共に、使用する方のロールペーパーを片持ちの軸に支持させる。よって、使用する方のロールペーパーを軸から抜き取るには他方のロールペーパーを取り除かなければならない。そして、他方のロールペーパーを収容する空間には開閉蓋を設ける。したがって、開閉蓋を開かない限り、他方のロールペーパーを取り除けず、結局、いずれのロールペーパーも取り出せない。
【先行技術文献】
【特許文献】
【０００３】
【特許文献１】特開２００１−３１４３４５号公報
【発明の概要】
【発明が解決しようとする課題】
【０００４】
特許文献１は、ロールペーパーを容易に取り出せないようにするために必ず２個のロールペーパーを収容し、しかも、一方のロールペーパーを使用できない状態としなければならない。
【０００５】
本発明の目的は、ロールペーパーを使用できない状態とすることなく、容易に取り出せない構成としたロールペーパー保持具を提供することにある。
【課題を解決するための手段】
【０００６】
本発明のロールペーパー保持具は、ロールペーパーが第１方向に沿って片側から挿入されるペーパー支持軸と、ロールペーパーが挿入される側の前記ペーパー支持軸の先端部から離隔した位置において前記ペーパー支持軸を支持する支持体と、ロールペーパーが前記ペーパー支持軸から取り外せない程度に前記第１方向に関して前記先端部に近接して対向した対向位置と、ロールペーパーが前記ペーパー支持軸から取り外せる程度に前記先端部から離隔した位置であって前記第１方向に関して前記先端部に対向していない非対向位置との間で変位可能に前記支持体に支持された保護カバーと、前記支持体に対する前記保護カバーの相対移動を規制する規制状態と当該規制を解除する解除状態とを選択的に取る規制手段とを備えており、前記保護カバーが、前記対向位置において前記第１方向に関して前記ペーパー支持軸を互いの間に挟む第１壁部及び第２壁部と、前記対向位置において前記第１方向に直交する第２方向に関して前記ペーパー支持軸の一方側に配置される第３壁部とを有しており、前記保護カバーが、前記第１方向に沿った回転軸に関して回動可能に前記支持体に支持されており、前記回転軸が、前記保護カバーが前記対向位置にあるとき、前記第２方向に関して前記ペーパー支持軸に対して前記第３壁部とは反対側の位置に配置されており、前記第２方向に関して前記第３壁部と前記ペーパー支持軸との間に配置された回転軸に関して回動可能に前記保護カバーに支持され、前記保護カバーが前記対向位置にあるとき、前記ペーパー支持軸に挿入されたロールペーパーに先端部が当接するペーパーカッターをさらに備えている。さらに別の観点において、本発明のロールペーパー保持具は、ロールペーパーが第１方向に沿って片側から挿入されるペーパー支持軸と、ロールペーパーが挿入される側の前記ペーパー支持軸の先端部から離隔した位置において前記ペーパー支持軸を支持する支持体と、ロールペーパーが前記ペーパー支持軸から取り外せない程度に前記第１方向に関して前記先端部に近接して対向した対向位置と、ロールペーパーが前記ペーパー支持軸から取り外せる程度に前記先端部から離隔した位置であって前記第１方向に関して前記先端部に対向していない非対向位置との間で変位可能に前記支持体に支持された保護カバーと、前記保護カバー及び支持体のうち一方の部材に当接して、他方の部材に対する前記一方の部材の相対移動を規制する規制位置と、当該規制位置から離隔して規制を解除する解除位置との間で移動可能に前記他方の部材に支持された規制部材と、前記規制部材を前記規制位置に向かって付勢する付勢手段とを備えており、前記支持体が、前記ペーパー支持軸の一方側に配置された、建物の壁などに固定される壁部を有しており、前記規制部材が前記支持体の前記壁部付近に配置されており、前記規制部材が、前記解除位置から前記規制位置に向かう方向に対して傾斜した表面である傾斜面を有しており、前記保護カバーが、前記非対向位置から前記対向位置へと移動する際に、前記傾斜面の一部に当接しつつ前記付勢手段の付勢力に抗して前記規制部材を前記解除位置に向かって移動させると共に、前記対向位置に到達する以前に前記傾斜面から離隔し、前記保護カバーが前記対向位置にあり且つ規制解除用の部材が前記規制部材から外れているとき、当該規制解除用の部材を前記保護カバーの外部から前記保護カバー内の隙間を通じて前記規制部材まで到達させ、前記規制部材に接続させると共に、接続させた前記規制解除用の部材を介して前記規制部材を前記規制位置から前記解除位置へと移動させることができるように構成されている。
【０００７】
また、前記保護カバーが、前記対向位置において前記第１方向に関して前記ペーパー支持軸を互いの間に挟む第１壁部及び第２壁部と、前記対向位置において前記第１方向に直交する第２方向に関して前記ペーパー支持軸の一方側に配置される第３壁部とを有しており、前記支持体が、前記第１方向及び第２方向の両方に直交する第３方向に関して前記ペーパー支持軸の一方側に配置される第４壁部を有しており、前記ペーパー支持軸が、前記保護カバーが前記対向位置にある場合に、前記第１壁部〜第４壁部によって画定される内包空間内に配置されるロールペーパー保持具とすることが好ましい。
【０００８】
また、前記保護カバーが、前記第１方向に沿った回転軸に関して回動可能に前記支持体に支持されており、前記回転軸が、前記保護カバーが前記対向位置にあるとき、前記第２方向に関しては前記ペーパー支持軸に対して前記第３壁部とは反対側の位置であって、前記第３方向に関しては前記第４壁部から隔離した位置に配置されているロールペーパー保持具とすることが好ましい。
【０００９】
また、前記規制手段が、前記保護カバー及び支持体のうち一方の部材に当接して、他方の部材に対する前記一方の部材の相対移動を規制する規制位置と、当該規制位置から離隔して規制を解除する解除位置との間で移動可能に前記他方の部材に支持された規制部材と、前記規制部材を前記規制位置に向かって付勢する付勢手段とをさらに備えており、前記規制部材が、前記解除位置から前記規制位置に向かう方向に対して傾斜した表面である傾斜面を有しており、前記保護カバーが、前記非対向位置から前記対向位置へと移動する際に、前記傾斜面の一部に当接しつつ前記付勢手段の付勢力に抗して前記規制部材を前記解除位置に向かって移動させると共に、前記対向位置に到達する以前に前記傾斜面から離隔するロールペーパー保持具とすることが好ましい。
【００１０】
また、一対の前記ペーパー支持軸が、前記第１方向に関して並んでおり、前記一対のペーパー支持軸の前記先端部が前記第１方向に関して互いに反対側に配置されており、前記第１壁部が、一方の前記ペーパー支持軸の前記先端部に対向する位置に配置されており、前記第２壁部が、他方の前記ペーパー支持軸の前記先端部に対向する位置に配置されているロールペーパー保持具とすることが好ましい。
【発明の効果】
【００１１】
保護カバーを対向位置に配置することで、保護カバーが直接、ペーパー支持軸からのロールペーパーの移動を規制する。したがって、使用できない状態のロールペーパーを配置することなく、ロールペーパーを容易に取り出せない構成とすることができる。
【図面の簡単な説明】
【００１２】
【図１】本発明の一実施形態に係るロールペーパー保持具の正面図である。
【図２】図１のロールペーパー保持具の背面図である。
【図３】図１のロールペーパー保持具の平面図である。
【図４】図１のロールペーパー保持具の底面図である。
【図５】図１のロールペーパー保持具の右側面図である。
【図６】保護カバー３を開いた状態の図５に対応する図である。
【図７】（ａ）はロック機構５０の正面図、（ｂ）は平面図、（ｃ）と（ｄ）は右側面の断面図である。
【発明を実施するための形態】
【００１３】
本発明の一実施形態に係るロールペーパー保持具１について図１〜図７を参照しつつ説明する。なお、ロールペーパー保持具１は、図１においては左右２個のロールペーパー保持具の例であって左右対称な構成を有しているため、以下では主に、図１における右半分の構成について説明し、左半分の構成の説明は適宜省略する。
【００１４】
ロールペーパー保持具１は、トイレットペーパーなどのロールペーパーを支持する本体２（支持体）と保護カバー３とを有しており、全体として直方体の概略形状を有している。本体２は、側面視においてＬ字型の概略形状を有しており（図６参照）、背面板２１（第４壁部）、底板２２、正面下部板２３、右側下部板２４及び左側下部板２５を含んでいる。背面板２１には貫通孔２１ａが形成されている。本体２を建物の壁などに固定する際は、この貫通孔２１ａを通じて螺子等で固定する。貫通孔２１ａには、水平方向に沿って延びたものと鉛直方向に沿って延びたものとがある。これにより、螺子で固定する際、水平及び鉛直方向にそれぞれ位置を調整しやすい。ここで、図１の正面図における左右方向(水平方向)を第１方向、上下方向(鉛直方向)を第２方向、前後方向を第３方向と称する。
【００１５】
底板２２には、長方形の平面形状を有する貫通孔２２ａが形成されている（図４参照）。正面下部板２３は、底板２２の前方先端部を垂直上方に折り曲げることで形成されている。正面下部板２３は、後述のペーパー支持軸２８に支持されたロールペーパーＲと干渉しないような高さに調整されている（図１、図６参照）。右側下部板２４及び左下部板２５は、底板２２の右端部及び左端部を垂直上方に折り曲げることで形成されている。側面視において、上端縁２４ａが、前端から後端に向かって、下に凸のアール状に湾曲しつつ上方に延びている。上端縁２４ａは、ペーパー支持軸２８にロールペーパーＲを着脱する際、干渉しないように調整されている（図６参照）。
【００１６】
本体２は、固定板２６及び２７及びロック機構５０（規制手段）を有している。固定板２６及び２７は、平板の端部をＬ字に折り曲げることで構成されている。固定板２６及び２７は、背面板２１の正面において、水平方向及び鉛直方向のそれぞれにほぼ中央の位置に、互いに背中合わせに固定されている。固定板２６及び２７において、背面板２１とは反対側の一端には、一対のペーパー支持軸２８が左右対称に固定されている。ペーパー支持軸２８は、固定板２６及び２７に固定された円柱部２８ａと、円柱部２８ａの先端に固定された先端部２８ｂとからなる。円柱部２８ａは、固定板２６及び２７から図１の左右方向のそれぞれに向かって水平に延びている。先端部２８ｂは、円柱部２８ａの先端からさらに左右に向かって、先細りに延びている。円柱部２８ａの直径は、ロールペーパーＲの芯を通せるように調整されている（図５、図６参照）。固定板２７には螺子軸２７ａが固定されている一方で、円柱部２８ａ側にも貫通孔が形成され、その内表面に螺子軸２７ａと嵌合するように螺子が切られている。これらの螺子構造によってペーパー支持軸２８が固定板２６及び２７に固定されている。この螺子を利用することにより、ロールペーパーの内径が異なるロールペーパーの種類に応じて、ペーパー支持軸２８と軸径が異なる支持軸とを取り替えて使用することができる。
【００１７】
保護カバー３は、天板３１（第３壁部）、右側板３２（第１壁部）、左側板３３（第２壁部）及び背面上部板３４を有しており、全体として前後方向（第３方向）及び下方に開口した箱型の概略形状を有している。背面上部板３４は、天板３１の後端部を垂直下方に折り曲げて形成されており、その下端は本体２の背面板２１の上端とほぼ一致している。保護カバー３は、本体２の右側下部板２４の前端部及び左側下部板２５の前端部に、留め具４１によって図６のＢ方向に回動可能に支持されている。留め具４１の位置は、上下方向（第２方向）に関しては、ロールペーパーの支持軸に対して天板３１（第３壁部）とは反対側の位置であって、前後方向（第３方向）に関しては、背面板２１（第４壁部）から隔離した位置に配されている。好ましくは、留め具４１の位置は、ペーパー支持軸に対して、図５及び図６に示すように、上下方向（第２方向）に関しては、ペーパー支持軸に支持された状態のロールペーパーに干渉しないようにロールペーパーの下側で適宜間隔を置いた位置であって、前後方向（第３方向）に関しては、ペーパー支持軸の軸中心近傍の位置とするのがよい。
【００１８】
これにより、保護カバー３は、図５の位置（保護カバー３が装着された状態）と図６の位置（保護カバー３が開放された状態）との間で変位可能である。図５の装着状態の位置（対向位置）において、保護カバー３の右側板３２(第１壁部)及び左側板３３(第２壁部)は、ペーパー支持軸２８の先端部２８ｂと近接しつつ対向する。この状態では、ペーパー支持軸２８に支持されたロールペーパーＲをこれらの壁部によって軸方向に取り外すことはできない。一方、図６の開放状態の位置（非対向位置）において、保護カバー３の右側板３２及び左側板３３は、いずれもペーパー支持軸２８の先端部２８ｂから完全に離隔する。この状態では、ペーパー支持軸２８の片側（先端部２８ｂ側）から左右方向（第１方向）に沿ってロールペーパーＲを自由に着脱可能である。保護カバー３は本体２の下部の留め具４１に支持されているため、本体２下方にぶら下がる。なお、右側板３２及び左側板３３と先端部２８ｂとの近接の程度は、保護カバー３が図５の位置にある際、ロールペーパーＲがペーパー支持軸２８から取り外せない程度とする。
【００１９】
保護カバー３には、一対のペーパーカッター３５が左右方向に並んで設けられている。右側板３２及び左側板３３の上端付近には、留め具４２によって支持パイプ３６が支持されている。支持パイプ３６は、径が小さい細径部３６ａと径が大きい太径部３６ｂとを有している。一方、ペーパーカッター３５の後端部には、左右方向に両端の一部を折り曲げて構成された支持部３５ａが設けられている。支持部３５ａには円形の貫通孔が形成されており、この貫通孔が支持パイプ３６の細径部３６ａに通されることで、ペーパーカッター３５が図５のＡ方向に回動可能に支持されている。左右方向に関するペーパーカッター３５の移動は、太径部３６ｂによって規制されている。
【００２０】
ロールペーパーＲがペーパー支持軸２８に支持されていない状態においては、ペーパーカッター３５は、図５に示すように、ペーパー支持軸２８に当接した状態で保持される。この状態において、ペーパーカッター３５は、その後端（上端）から、前方へと湾曲しつつ下方に向かって延びている。ロールペーパーがペーパー支持軸２８に支持されると、図５の二点鎖線に示すように、ロールペーパーの表面にペーパーカッター３５の先端部が当接した状態となる。また、ペーパーカッター３５の上方への移動が、ロールペーパーの外周面から適宜離れた位置で制限されるように、天板３１にペーパーカッターの当接部を設ける。このペーパーカッターの上限が図５の点線に示す位置となる。したがって、ペーパーカッター３５は、常にロールペーパー前方の斜め上方に位置することとなるため、ロールペーパーを前方の斜め上方から保護すると共に、ロールペーパーＲが抜き取られるのを防ぐ役割を果たす。
【００２１】
つぎに、保護カバー３の規制手段について説明する。図５に示すように、本体２に備えたロック機構５０と、保護カバー３に備えた篏合体６０の結合によって保護カバー３の規制状態（装着状態）を実現する。篏合体６０は、図５に示すように保護カバー３の天板３１の内側部で対向する背面板２１側に設けられ、ロック機構５０は篏合体６０の下側部で適宜間隙を有して両者が結合可能な位置に背面板２１に固定して設ける。
【００２２】
図７において、ロック機構５０の例を説明する。（ａ）は正面図、(ｂ)は平面図、(ｃ)と（ｄ）は右側面の断面図である。ロック機構５０は、ロックピン５２(規制部材)と箱体５３とばね５４(付勢手段)で構成され、ロックピン５２は上部が軸方向に対して傾斜した傾斜面５２ｂと軸方向に平行な回転規制面５２ｃを有する円柱部５２ａと、円柱部の下端に固定された芯棒５６ａと座金５６ｂで成る。このロックピン５２を収容する箱体５３は、ロックピン５２を上下に摺動させる円柱穴を有する本体５３ａ、回転規制面５２ｃを上下に摺動させ回転を制限する回転規制体５３ｂ、芯棒５６ａが貫通する底板５３ｃで成り、ロックピン５２を座金５６ｂによる制限位置まで上方に付勢するばね５４を収納する空間をロックピン５２下側に設ける。
【００２３】
図７（ｃ）、（ｄ）で、ロック機構５０と篏合体６０の結合を説明する。図６で示されるように保護カバー３が開放状態から装着状態（規制状態）の方（Ｂ１の方向）に移動したとき、図７（ｃ）に示すように、篏合体６０が矢印方向に移動してきて篏合体６０の下側先端部が傾斜面５２ｂに当接しつつロックピン５２を押し下げ、これを乗り越えた後、ロックピン５２は篏合体６０に設けた空間に収納され、篏合体６０の下先端部がロックピン５２の軸方向背面に当接して逆移動できなくなった状態がロックされた状態である。
【００２４】
ロック状態を解除するには、(ｄ)のように、芯棒５６ａの下端に接続した補助部材５５を外力によりばね５４に抗して押し下げて箱体５３からのロックピン５２の突出をなくすと、篏合体６０は矢印方向に移動可能となり、ロックが解除され、保護カバー３は図６に示す開放状態の方（Ｂ２の方）に移動できる。外力を除くとロックピン５２が突出して初期状態に戻る。以上のように、ロック機構５０と篏合体６０は本装置内部に構成されるので、一般の使用者が保護カバー３の開閉を操作することはできない。
【００２５】
本装置における保護カバー３の規制手段であるロック機構５０と篏合体６０の位置は、図１に示すように、装置内側の左右端に２組を配し、補助部材５５をＬ字状板に形成して下端のＬ部を底板２２近傍に配した例で示したが、本発明における規制手段の数は１組以上であればよく、配置もこの例に限るものではない。また、補助部材５５と芯棒５６ａとの接続は、着脱可能に構成されていてもよい。普段は芯棒５６ａから補助部材５５を外しておき、管理の関係者以外が勝手に操作できないようにしておける。
【００２６】
以上説明した本実施形態によると、図１の状態で、本体２及び保護カバー３により画定される内包空間にペーパー支持軸２８が配置される。これにより、ペーパー支持軸２８に支持されたロールペーパーは、上下左右及び後方の５方向から、壁部によって保護された状態となる。さらに、ペーパーカッター３５の上方移動の制限により前方開口部の保護が期待できる。そして、図１の状態ではロック機構５０により保護カバー３の移動が規制されており、管理の関係者以外が保護カバー３を開いてロールペーパーを取り出すのは容易でない。一方、保護カバー３を開くと、図６のように本体２の下方にぶら下がる。したがって、保護カバー３を抑えながら作業する必要がなく、ロールペーパーを着脱する作業が容易である。さらに、本体２の底板２２に貫通孔が形成されているため、ロールペーパーから落ちる紙粉が本体２内に溜まりにくい。
【００２７】
以下、本実施形態の変形例について説明する。本実施形態のロールペーパー保持具１は、主に平板により壁部が構成されているが、表面が湾曲した壁部を有していてもよい。また、壁部同士（例えば、天板３４及び右側板３２）の境界が比較的明確に構成されているが、これらの境界が特に明確でなく、例えばＲ状に形成されていてもよい。また、２つのロールペーパーを収容する構成が採用されているが、１つのロールペーパーのみを収容するものであってもよい。
【符号の説明】
【００２８】
１  ロールペーパー保持具
２  本体
３  保護カバー３
５０  ロック機構５０
６０  篏合体６０
Ｒ  ロールペーパー
【図１】
0005363638.tif 000002
【図２】
0005363638.tif 000003
【図３】
0005363638.tif 000004
【図４】
0005363638.tif 000005
【図５】
0005363638.tif 000006
【図６】
0005363638.tif 000007
【図７】
0005363638.tif 000008